(57)【要約】【課題】粒状又は粉末状の内容物を収容して、内容物の排出を誘導し、こぼれることなく適正に排出することができるピロー包装体を提供すること。【解決手段】フィルムを丸めて両側端同士を合掌シールして背シール部１１を設け、この背シール部が中央に位置するように上下端をシールしてそれぞれ上部シール部１３と下部シール部１２を設けて構成されるピロー包装体であって、前記背シール部の存在しない面を表面Ａ、背シール部の存在する面を裏面Ｂとするとき、裏面Ｂに二本の開封案内線１４，１５を設ける。この二本の開封案内線１４，１５を、背シール部１１を挟んで互いに反対側に位置させる。また、開封方向を二本の前記開封案内線に誘導するノッチを背シール部１１に設ける。そして、二本の前記開封案内線の終点を裏面Ｂの上部シール部１３に位置させる。【選択図】図１
2019127270.tif 000002
【特許請求の範囲】
【請求項１】
フィルムを丸めて両側端同士を合掌シールして背シール部を設け、この背シール部が中央に位置するように上下端をシールしてそれぞれ上部シール部と下部シール部を設けて構成されるピロー包装体において、
前記背シール部の存在しない面を表面、背シール部の存在する面を裏面とするとき、裏面に二本の開封案内線を有し、この二本の開封案内線が前記背シール部を挟んで互いに反対側に位置しており、かつ、開封方向を二本の前記開封案内線に誘導するノッチを前記背シール部に有しており、
二本の前記開封案内線の終点が、いずれも、裏面の上部シール部に位置することを特徴とするピロー包装体。
【請求項２】
二本の前記開封案内線の終点が、いずれも、裏面の角部に位置することを特徴とする請求項１に記載のピロー包装体。
【請求項３】
二本の前記開封案内線の始点が、いずれも、前記背シール部の基端に位置することを特徴とする請求項１又は２に記載のピロー包装体。
【請求項４】
二本の前記開封案内線の始点が互いに一致していることを特徴とする請求項１〜３のいずれかに記載のピロー包装体。
【請求項５】
二本の前記開封案内線と前記背シール部の基端との間の角度が、いずれも、３０〜６０度の範囲にある請求項１〜４のいずれかに記載のピロー包装体。
【発明の詳細な説明】
【技術分野】
【０００１】
本発明は、フィルムを丸めて両側端同士を合掌シールして背シール部を設け、この背シール部が中央に位置するように上下端をシールしてそれぞれ上部シール部と下部シール部を設けて構成されるピロー包装体に関する。本発明のピロー包装体は、粒状又は粉末状の内容物を収容して、しかも、これを開封した後、収容された内容物の排出を誘導し、こぼれることなく適正に排出することができる。
【背景技術】
【０００２】
前述のようなピロー包装体は周知である。また、このピロー包装体にノッチや開封案内線を設けて、その開封を容易としたものも知られており、例えば、特許文献１に記載されている。特許文献１に記載のピロー包装体は、棒状の内容物を収容するのに適したものである。
【０００３】
特許文献１に記載のピロー包装体は、図３に示すようなものである。すなわち、図３（ａ）は、背シール部の存在しない面を表面Ａ’として、この表面Ａ’から見たピロー包装体１０’の平面図を示している。図３（ｂ）はその反対側、すなわち、背シール部の存在する裏面Ｂ’から見たピロー包装体１０’の平面図である。また、図３（ｃ）は、このピロー包装体１０’に使用するフィルム２０’を示している。
【０００４】
便宜上、図３（ｃ）を参照してフィルム２０’から説明すると、このフィルム２０’は、矩形状の外形を有し、その両側端には、背シール部１１’のための領域２１’，２１’を有しており、上下端には、それぞれ、上部シール部１３’のための領域２３’、下部シール部１２’のための領域２２’が設けられている。
【０００５】
また、このフィルム２０’には、二本の開封案内線２４’，２５’が設けられている。開封案内線２４’は図示右側の領域に配置されており、その始点は背シール部１１’のための領域２１’の基端２１’ａに位置している。また、開封案内線２４’の終点は上部シール部のための領域２３’に位置しているが、後述するように、この終点は背シール部１１’の存在しない表面Ａ’に位置している。
【０００６】
開封案内線２５’は、背シール部１１’のための領域２１’の基端２１’ａを対称軸として、開封案内線２４’と線対称に設けられたものである。すなわち、開封案内線２５’の始点は背シール部１１’のための領域２１’の基端２１’ａに位置し、終点は上部シール部１３’のための領域２３’に位置している。なお、その終点は背シール部１１’の存在しない表面Ａ’に位置している。
【０００７】
そして、このフィルム２０’を使用してピロー包装体１０’を製造する際には、まず、このフィルム２０’を丸め、左右両側端の領域２１’，２１’を互いに重ね合わせて合掌シールする。この合掌シールにより、前記背シール部１１’が形成される。そして、この背シール部１１’の所定位置に、開封のきっかけとなるノッチ１６’を形成する。
【０００８】
次に、この背シール部１１’が裏面Ｂ’中央に位置するように領域２２’をシールして、下部シール部１２’を形成する。そして、未シールの上部から棒状の内容物を収容した後、最後に領域２３’をシールし、上部シール部１３’形成することにより、ピロー包装体１０’を製造することができる。
【０００９】
こうして製造されたピロー包装体１０’は図３（ａ）及び（ｂ）に図示するものである
。すなわち、このピロー包装体１０’では、裏面Ｂ’中央に背シール部１１’を有しており、この背シール部１１’にはノッチ１６’が設けられている。また、背シール部１１’の基端１１’ａを始点として、二本の開封案内線２４’，２５’が対称的に伸びており、これら二本の開封案内線２４’，２５’は背シール部１１’のない表面Ａ’に回り込んで、表面Ａ’の上部シール部１３’に達している。
【００１０】
そして、このピロー包装体１０’は、ノッチ１６’をきっかけとして引裂きを開始すると、このノッチ１６’によって引裂き方向が誘導されて、二本の開封案内線２４’，２５’に達する。そして、次に引裂き方向はこれら二本の開封案内線２４’，２５’にガイドされて、ピロー包装体１０’の斜め上方向に案内され、裏面Ｂ’から表面Ａ’に回り込み、表面Ａ’の上部シール部１３’で引裂きを終了する。このように引裂き方向が棒状内容物の周囲を回りながら斜め上方向に案内され、しかも、表面Ａ’に回り込んで引裂かれるため、棒状内容物を傷付けることなく、しかも、大きく開口するため取り出し易いという利点がある。
【先行技術文献】
【特許文献】
【００１１】
【特許文献１】特開２００８−２２２２８２号公報
【発明の概要】
【発明が解決しようとする課題】
【００１２】
以上のように、特許文献１に記載のピロー包装体は、棒状の内容物を収容したとき、大きな利点を発揮する。
【００１３】
しかしながら、このピロー包装体は大きく開口するものであるため、内容物が粒状又は粉末状である場合には、この大きな開口部から様々な方向に内容物が排出され、この結果、内容物がこぼれ易いという問題を残していた。
【００１４】
そこで、本発明は、粒状又は粉末状の内容物を収容して、内容物の排出を誘導し、こぼれることなく適正に排出することができるピロー包装体を提供することを目的とする。
【課題を解決するための手段】
【００１５】
すなわち、請求項１に記載の発明は、フィルムを丸めて両側端同士を合掌シールして背シール部を設け、この背シール部が中央に位置するように上下端をシールしてそれぞれ上部シール部と下部シール部を設けて構成されるピロー包装体において、
前記背シール部の存在しない面を表面、背シール部の存在する面を裏面とするとき、裏面に二本の開封案内線を有し、この二本の開封案内線が前記背シール部を挟んで互いに反対側に位置しており、かつ、開封方向を二本の前記開封案内線に誘導するノッチを前記背シール部に有しており、
二本の前記開封案内線の終点が、いずれも、裏面の上部シール部に位置することを特徴とするピロー包装体である。
【００１６】
次に、請求項２に記載の発明は、二本の前記開封案内線の終点が、いずれも、裏面の角部に位置することを特徴とする請求項１に記載のピロー包装体である。
【００１７】
次に、請求項３に記載の発明は、二本の前記開封案内線の始点が、いずれも、前記背シール部の基端に位置することを特徴とする請求項１又は２に記載のピロー包装体である。
【００１８】
次に、請求項４に記載の発明は、二本の前記開封案内線の始点が互いに一致していることを特徴とする請求項１〜３のいずれかに記載のピロー包装体である。
【００１９】
次に、請求項５に記載の発明は、二本の前記開封案内線と前記背シール部の基端との間の角度が、いずれも、３０〜６０度の範囲にある請求項１〜４のいずれかに記載のピロー包装体である。
【発明の効果】
【００２０】
本発明のピロー包装体においては、二本の開封案内線の終点が、いずれも、背シール部の存在する裏面の上部シール部に位置しており、これら二本の開封案内線が背シール部の存在しない表面に回り込んでいない。このため、これら二本の開封案内線で切断されたピロー包装体の先端部が樋状となり、この樋状先端部をガイドとして利用することにより、粒状内容物又は粉末状内容物の排出方向を規制することができる。そして、このため、これら内容物が意図しない方向にこぼれることを防止できるのである。
【図面の簡単な説明】
【００２１】
【図１】図１は本発明のピロー包装体の具体例に係り、図１（ａ）は、背シール部の存在しない表面から見たピロー包装体の平面図、図１（ｂ）は背シール部の存在する裏面から見たピロー包装体の平面図である。また、図１（ｃ）は、このピロー包装体に使用するフィルムを示す平面図である。
【図２】図２は本発明のピロー包装体の使用方法を示す説明用斜視図である。
【図３】図３は従来のピロー包装体に係り、図３（ａ）は、背シール部の存在しない表面から見たピロー包装体の平面図、図３（ｂ）は背シール部の存在する裏面から見たピロー包装体の平面図である。また、図３（ｃ）は、このピロー包装体に使用するフィルムを示す平面図である。
【発明を実施するための形態】
【００２２】
以下、図面を参照して本発明の具体例を説明する。まず、図１は本発明のピロー包装体の具体例に係り、図１（ａ）は、背シール部１１の存在しない表面Ａから見たピロー包装体１０の平面図、図１（ｂ）は背シール部１１の存在する裏面Ｂから見たピロー包装体１０の平面図である。また、図１（ｃ）は、このピロー包装体に使用するフィルム２０を示す平面図である。
【００２３】
説明の便宜上、図１（ｃ）を参照してフィルム２０から説明すると、このフィルム２０’は、矩形状の外形を有し、その両側端には、背シール部１１のための領域２１，２１を有しており、上下端には、それぞれ、上部シール部１３のための領域２３、下部シール部１２のための領域２２が設けられている。
【００２４】
また、このフィルム２０には、二本の開封案内線２４，２５が設けられている。開封案内線２４は図示右側の領域に配置されており、その始点は背シール部１１のための領域２１の基端２１ａに位置している。また、開封案内線２４の終点は上部シール部のための領域２３に位置しているが、この終点は背シール部１１の存在する裏面Ｂに位置している。すなわち、開封案内線２４は、背シール部１１の存在しない表面Ａに回りこむことなく、その全部が裏面Ｂの内部に存在している。
【００２５】
また、この開封案内線２４を引裂いて開口したとき、可能な限りその開口部を広くするため、開封案内線２４の終点は裏面の角部に位置することが望ましい。なお、開封案内線２４の終点が角部の内側に位置している場合には、内容物を排出する際にその角部に内容物が滞留するから、内容物の全量を排出することが困難である。
【００２６】
また、開封案内線２４の引裂きを容易とし、確実にこの開封案内線２４に沿って引裂くことができるようにするため、この開封案内線２４と基端２１ａとの間の角度θは３０〜
６０度の範囲にあることが望ましい。この角度θが大きくなるにつれて引裂く開封案内線２４の長さが長くなり、開封案内線２４から逸れるおそれが高くなる。
【００２７】
なお、この例では、開封案内線２４は直線状に設けられているが、これに限らず、滑らかな曲線状であってもよい。例えば、円弧状である。また、この開封案内線２４は実線状又は破線状のいずれでもよい。この開封案内線２４は、例えば、レーザー光の照射によってフィルム２０の強度を弱めた弱化線で構成することができる。機械的に形成したハーフカット線で構成してもよい。
【００２８】
次に、開封案内線２５は、背シール部１１のための領域２１の基端２１ａを対称軸として、開封案内線２４と線対称に設けられたものである。すなわち、開封案内線２５の始点は背シール部１１のための領域２１の基端２１ａに位置し、終点は上部シール部１３のための領域２３に位置している。なお、その終点は背シール部１１の存在する裏面Ｂに位置しており、このため、開封案内線２４は、背シール部１１の存在しない表面Ａに回りこむことなく、その全部が裏面Ｂの内部に存在している。また、開封案内線２５も、開封案内線２４と同様に、その終点は裏面の角部に位置することが望ましく、開封案内線２５と基端２１ａとの間の角度は３０〜６０度の範囲にあることが望ましい。もちろん、開封案内線２５は直線状又は曲線状であってよく、実線状又は破線状であってよい。また、開封案内線２４の形成と同時に、レーザー光照射あるいは機械的に形成することが可能である。
【００２９】
ピロー包装体１０は、このフィルム２０を使用して、従来のピロー包装体１０’と同様に製造することができる。すなわち、このフィルム２０を丸め、左右両側端の領域２１，２１を互いに合掌シールして、背シール部１１を形成し、この背シール部１１にノッチ１６を形成する。次に、この背シール部１１が裏面Ｂ中央に位置するように下部シール部１２を形成し、粒状又は粉末状の内容物を収容した後、上部シール部１３を形成することにより、ピロー包装体１０を製造することができる。
【００３０】
こうして製造されたピロー包装体１０は、図１（ａ）及び（ｂ）に図示するものである。すなわち、このピロー包装体１０では、裏面Ｂ中央に背シール部１１を有しており、この背シール部１１にはノッチ１６が設けられている。また、背シール部１１の基端１１ａを始点として、二本の開封案内線２４，２５が対称的に伸びており、これら二本の開封案内線２４，２５は、背シール部１１のない表面Ａに回り込むことなく、裏面Ｂ角部を終点としている。なお、ノッチ１６としては、Ｉノッチ、Ｖノッチ、五角形ノッチ等を利用できる。
【００３１】
このピロー包装体１０は、次のように開封して使用することができる。図２はその使用方法を示す説明用斜視図である。
【００３２】
図２（ａ）は開封前のピロー包装体１０を示す斜視図である。そして、図２（ｂ）に示すように、ノッチ１６をきっかけとしてこのピロー包装体１０を引裂くと、その引裂き線はノッチ１６に誘導されて開封案内線１４，１５に到達する。続いて、引裂き線はこれら開封案内線１４，１５に案内されて、上部シール部１３の終点に到達する。この上部シール部１３はフィルム２０を重ね合わせてシールした部位であり、このため、強度が高く、引裂きはこれら終点で停止する。そして、開封案内線１４，１５は、いずれも、裏面Ｂに配置されており、表面Ａに回り込んでいないから、裏面側が引裂かれることがない。なお、この例では、開封案内線１４，１５の終点は、いずれも、ピロー包装体１０の角部である。このため、この引裂き線を開いて開封することができる。
【００３３】
そして、この開口を下方に向けて傾けることにより、内容物を開口から排出することができる。この際、図２（ｃ）に示すように、切断されたピロー包装体１０の先端部におい
ては、背シール部１１の基端１１ａが周囲に比較して低い位置の樋状になるから、内容物は低い位置のこの基端１１ａに向って集まり、このため、この樋状先端部をガイドとして利用することにより、内容物の排出方向を規制して、内容物が意図しない方向にこぼれることを防止することができる。
【００３４】
このピロー包装体１０に使用するフィルム２０は任意の材質でよいが、基材フィルムの内側にシーラント層を積層したフィルムが好適である。
【００３５】
基材フィルムは単層構造又は多層構造のフィルムであってよく、単層構造の基材フィルムとしては、ポリエステルフィルムやポリアミドフィルムが例示できる。また、多層構造の基材フィルムとしては、これらポリエステルフィルムやポリアミドフィルムに他の樹脂層を積層して多層構造としたものを使用することもできる。なお、このように複数の樹脂フィルムを積層して多層構造の基材フィルムとする場合には、各フィルムをドライラミネート法によって積層することが望ましい。また、多層構造の基材フィルムとして金属箔や真空蒸着層を一部に含むフィルムを使用することもできる。真空蒸着層としては、金属の真空蒸着層のほか、無機酸化物の真空蒸着層が例示できる。例えば、酸化ケイ素又は酸化アルミニウムの真空蒸着層である。
【００３６】
また、シーラント層としては、低密度ポリエチレン、中密度ポリエチレン、無延伸ポリプロピレン、線状低密度ポリエチレン（ＬＬＤＰＥ）等のポリオレフィン樹脂が使用できる。シーラント層は、基材フィルムに塗布して形成することもできるし、予め製膜したシーラントフィルムを基材フィルムに貼り合わせることによって形成してもよい。
【符号の説明】
【００３７】
１０：ピロー包装体    １１：背シール部    １１ａ：背シール部基端    １２：下部シール部    １３：上部シール部    １４：開封案内線    １５：開封案内線    １６：ノッチ
Ａ：表面    Ｂ：裏面
２０：フィルム
【図１】
2019127270.tif 000003
【図２】
2019127270.tif 000004
【図３】
2019127270.tif 000005